(57)【特許請求の範囲】
【請求項１】
記録媒体に記録データに応じて変調した光ビームを照射するようにして、予め定められた所定の記録倍速を保つように上記記録媒体を回転させながら上記記録データを記録する記録装置において、
上記所定の記録倍速を他の所定の記録倍速へ切り替える記録倍速切替手段と、
上記記録媒体の試書き領域に上記所定の記録倍速及び上記他の所定の記録倍速において試書き用データの試書きをすることにより、上記記録データを記録するための上記光ビームの最適なパワーを、予め上記所定の記録倍速及び上記他の所定の記録倍速に対して検出する検出手段と、
上記所定の記録倍速を保つように上記記録媒体を回転させつつ、上記検出手段で予め検出された上記所定の記録倍速に対応した最適なパワーで、上記記録媒体に上記記録データを記録する記録手段と
を具え、
上記記録手段は、
上記記録データの記録中に上記記録倍速切替手段により上記他の所定の記録倍速へ切り替えられたとき、上記検出手段が予め検出した上記所定の記録倍速に対する最適なパワーから、上記検出手段が予め検出した上記他の所定の記録倍速に対応した最適なパワーに切り替えて記録する
記録装置。
【請求項２】
上記記録倍速は一定線速度である
請求項１に記載の記録装置。
【請求項３】
上記検出手段は、
上記所定の記録倍速ごとに、
上記記録媒体の試書き領域への試書き用データの試書きと上記光ビームの最適なパワーの検出を行なう
請求項１に記載の記録装置。
【請求項４】
記録媒体に記録データに応じて変調した光ビームを照射するようにして、予め定められた所定の記録倍速を保つように上記記録媒体を回転させながら上記記録データを記録する記録方法において、
上記記録媒体の試書き領域に上記所定の記録倍速及び上記他の所定の記録倍速において試書き用データの試書きをすることにより、上記記録データを記録するための上記光ビームの最適なパワーを、予め上記所定の記録倍速及び他の所定の記録倍速に対して検出する第１のステップと、
上記所定の記録倍速を保つように上記記録媒体を回転させつつ、上記第１のステップで予め検出された上記所定の記録倍速に対応した最適なパワーで、上記記録媒体に上記記録データを記録する第２のステップと
上記所定の記録倍速を上記他の所定の記録倍速へ切り替える第３のステップと、
上記記録データの記録中に上記第３のステップにより上記他の所定の記録倍速へ切り替えられたとき、上記第１のステップで予め検出した上記所定の記録倍速に対する最適なパワーから、上記第１のステップで予め検出した上記他の所定の記録倍速に対応した最適なパワーに切り替えて記録する第４のステップと
を具える記録方法。
【請求項５】
記録装置に、記録媒体に記録データに応じて変調した光ビームを照射するようにして、予め定められた所定の記録倍速を保つように上記記録媒体を回転させながら上記記録データを記録させる情報処理装置において、
上記所定の記録倍速を他の所定の記録倍速へ切り替える記録倍速切替手段と、
上記記録媒体の試書き領域に上記所定の記録倍速及び上記他の所定の記録倍速において試書き用データの試書きをすることにより、上記記録データを記録するための上記光ビームの最適なパワーを、予め上記所定の記録倍速及び上記他の所定の記録倍速に対して検出させる検出指示手段と、
上記所定の記録倍速を保つように上記記録媒体を回転させつつ、上記検出手段で予め検出された上記所定の記録倍速速度に対応した最適なパワーで、上記記録媒体に上記記録データを記録させる記録指示手段と
を具え、
上記記録指示手段は、
上記記録データの記録中に上記記録倍速切替手段が上記他の所定の記録倍速への切り替えを指示したとき、上記検出指示手段が予め検出させた上記所定の記録倍速に対する最適なパワーから、上記検出指示手段が予め検出させた上記他の所定の記録倍速に対応した最適なパワーに切り替えて記録させる
情報処理装置。
【請求項６】
記録装置に、光ディスクに記録データに応じて変調した光ビームを照射するようにして、予め定められた所定の記録倍速を保つように上記光ディスクを回転させながら上記記録データを記録させるプログラムを記録した記録媒体において、
上記光ディスクの試書き領域に上記所定の記録倍速及び上記他の所定の記録倍速において試書き用データの試書きをすることにより、上記記録データを記録するための上記光ビームの最適なパワーを、予め上記所定の記録倍速及び他の所定の記録倍速に対して検出する第１のステップと、
上記所定の記録倍速を保つように上記光ディスクを回転させつつ、上記第１のステップで予め検出された上記所定の記録倍速に対応した最適なパワーで、上記光ディスクに上記記録データを記録する第２のステップと
上記所定の記録倍速を上記他の所定の記録倍速へ切り替えを行う第３のステップと、
上記記録データの記録中に上記第３のステップにより上記他の所定の記録倍速へ切り替えたとき、上記第１のステップで予め検出した上記所定の記録倍速に対する最適なパワーから、上記第１のステップで予め検出した上記他の所定の記録倍速に対応した最適なパワーに切り替えて記録する第４のステップとを実行させる
プログラムを記録した記録媒体。
【発明の詳細な説明】
【０００１】
【発明の属する技術分野】
本発明は、記録装置、記録方法、情報処理装置及び記録媒体に関し、例えば同一箇所に一度だけ情報を書き込めるCD−R （Compact Disc-Recordable ）等のライトワンス（WO：Write Once）型の光ディスクや、同一箇所に何度でも情報を書き直せるCD−RW等のリライタブル（RW：ReWritable）型の光ディスクにデータを読み書きする光ディスク装置に適用して好適なものである。
【０００２】
【従来の技術】
従来、この種の光ディスク装置においては、光ディスクの記録面に記録データに応じて変調した光ビームを照射するようにして記録データを記録するようになされている。
【０００３】
そして多くの光ディスク装置では、予め定められたいくつかの変倍速（２倍速、４倍速又は８倍速等）の中から１つを選択して、記録速度を指定するようになされている。
【０００４】
この場合どの変倍速を選択したとしても光ディスクに記録される記録データの形態に変わりはないが、記録速度を上げて記録処理をした場合には、記録時間を短縮することができ、これに対して記録速度を下げて記録処理をした場合には、消費電力を低減させることができるという思いがある。
【０００５】
【発明が解決しようとする課題】
ところで上述のように光ディスクに光ビームを照射するようにして記録データを記録する場合、光ビームの強度が記録速度に応じた所定の基準範囲を越えると、この記録面に形成される記録マークの長さが長短するため（以下、この現象をアシンメトリと呼ぶ）、この記録マークに基づいて再生された記録データに雑音が発生するおそれがある。
【０００６】
そこで従来の光ディスク装置は、記録データを光ディスクに記録する前に、記録されるマークのアシンメトリの発生を抑えることを目的として、光ディスクの最内周に設けられたパワーキャリブレーションエリア（PCA ；Power Calibration Area）内に試書きをし、この試書き結果に基づいて光ビームの最適なパワーを検出するようになされている（以下、試書きから最適なパワーの検出に至る作業をパワーキャリブレーションと呼ぶ）。
【０００７】
ところがかかる光ディスク装置では、記録データを光ディスクに記録しているときに、記録速度の変更命令を当該ホストコンピュータより受けると、一度記録動作を中断してパワーキャリブレーションをすることにより、新たに指定される記録速度に応じた光ビームの最適なパワーを検出する。このためこのパワーキャリブレーションに要する時間の分だけ記録時間が長くなり、記録時における作業効率が悪くなるという問題があった。
【０００８】
本発明は以上の点を考慮してなされたもので、記録データの記録時における作業効率を向上させ得る記録装置、記録方法、情報処理装置及び記録媒体を提案しようとするものである。
【０００９】
【課題を解決するための手段】
かかる課題を解決するため本発明においては、記録媒体に記録データに応じて変調した光ビームを照射するようにして、予め定められた所定の記録倍速を保つように記録媒体を回転させながら記録データを記録する記録装置において、所定の記録倍速を他の所定の記録倍速へ切り替える記録倍速切替手段と、記録媒体の試書き領域に所定の記録倍速及び他の所定の記録倍速において試書き用データの試書きをすることにより、記録データを記録するための光ビームの最適なパワーを、予め所定の記録倍速及び他の所定の記録倍速に対して検出する検出手段と、所定の記録倍速を保つように記録媒体を回転させつつ、検出手段で予め検出された所定の記録倍速に対応した最適なパワーで、記録媒体に記録データを記録する記録手段とを具え、記録手段は、記録データの記録中に記録倍速切替手段により他の所定の記録倍速へ切り替えられたとき、検出手段が予め検出した所定の記録倍速に対する最適なパワーから、検出手段が予め検出した他の所定の記録倍速に対応した最適なパワーに切り替えて記録するようにした。
【００１０】
この結果この記録装置では、各記録倍速に対応した光ビームの最適なパワーを予め検出するようになされているので、記録データの記録中において記録倍速を切り替えても、他の記録倍速に対応した光ビームの最適なパワーを即座に切り替えて記録することができる。
【００１３】
【発明の実施の形態】
以下図面について、本発明の一実施の形態を詳述する。
【００１４】
（１）実施の形態による光ディスク装置の構成
図１において、１０は全体として本実施の形態による光ディスク装置を示し、CLV （Constant Linear Velocity）モードにより、10倍速、８倍速又は４倍速の記録・再生速度のうち、ホストコンピュータ１１により予め指定された何れかの記録・再生速度で、このホストコンピュータ１１から与えられるデータＤ１を光ディスク（CD−R 、CD−RW等）１２に記録したり、これを光ディスク１２から再生したりすることができるようになされている。
【００１５】
かかる光ディスク装置１０は、記録モード時に、ホストコンピュータ１１から順次与えられるデータＤ１をインターフェイス部（SCSI等）２０を介して内部に取り込み、これをエンコーダ部２１を介してバッファメモリ２２に順次格納する。
【００１６】
エンコーダ部２１は、レイヤードＥＣＣ（Error Correcting Code ）付加処理部２３、ＣＩＲＣ（Cross Interleave Reed-Solomon Code）エンコード処理部２４及びＥＦＭ（Eight to Fourteen Modulation）変調処理部２５から構成され、バッファメモリ２２に格納したデータＤ１をセクタ単位（２[Kbytes]単位）で順次読み出し、データＤ１に、レイヤードＥＣＣ付加部２３において誤り訂正符号を付加し、次にＣＩＲＣエンコード処理部２４においてＣＩＲＣエンコード処理及び同期データの挿入処理を施し、更にＥＦＭ変調処理部２５においてＥＦＭ変調を施した後、得られた書き込みデータＤ２をＲＦアンプ２６を介して光ピックアップ２７に送出する。
【００１７】
光ピックアップ２７は、レーザダイオード、コリメータレンズ、対物レンズ及び受光素子等の光学系デバイスと、レーザダイオードドライバ等の電気系デバイスとを有し、供給される書き込みデータＤ２に応じて変調した光ビームＬ１を、図２に示す光ディスク１２のプログラムエリアに照射する。
【００１８】
またこのとき光ピックアップ２７は、光ディスク１２からの反射光Ｌ２に基づいてトラッキングエラー信号及びフォーカスエラー信号等のサーボエラー信号Ｓ１と、プッシュプル信号Ｓ２とを生成し、サーボエラー信号Ｓ１をＲＦアンプ２６を介してサーボ制御部２８に送出すると共に、プッシュプル信号Ｓ２をＡＴＩＰ（Absolute Time In Pre-groove ）デコーダ部２９に送出する。
【００１９】
サーボ制御部２８は、供給されたサーボエラー信号Ｓ１に基づいてスレッドドライバ３２を介してスレッドモータ３３を制御することにより、光ディスク１２上に照射された光ビームＬ１のビームスポットを、当該記録面に形成されたデータトラック（プリグルーブ又はランド）に沿って光ディスク１２の径方向に移動させる。またサーボ制御部２８は、供給されたサーボエラー信号Ｓ１に基づいて２軸アクチュエータドライバ３４に光ピックアップ２７内の図示しない２軸アクチュエータを制御させることにより、トラッキング制御及びフォーカス制御をする。
【００２０】
一方、ＡＴＩＰデコーダ部２９は、供給されたプッシュプル信号Ｓ２をデコード処理することにより、光ディスク１２におけるそのときのビームスポットの絶対番地を検出し、これをＣＰＵ（Central Processing Unit ）３５に送出する。
【００２１】
すなわちＡＴＩＰデコーダ部２９は、プッシュプル信号Ｓ２をその内部に設けられた中心周波数を22.05[Hz] とする±1[Hz] の範囲のバンドパスフィルター回路を通すことによりプッシュプル信号Ｓ２に含まれるウオブル成分を抽出した後、このウオブル成分にＦＭ復調処理を施すことによりそのときにビームスポットが位置している光ディスク１２上の絶対番地を検出し、これをアドレス情報信号Ｓ３としてＣＰＵ３５に送出する。
【００２２】
またＡＴＩＰデコーダ部２９は、上述のデコード処理により得られる光ディスク１２上での絶対番地が変化する毎に（すなわち光ディスク１２におけるビームスポットが操作するセクタが変わる毎に）、これを知らせるシンク割込信号Ｓ４をＣＰＵ３５に送出する。
【００２３】
ＣＰＵ３５は、供給されたアドレス情報信号Ｓ３及びシンク割込信号Ｓ４に基づいて光ディスク１２におけるそのときの記録位置を順次認識するとともに、当該認識結果とホストコンピュータ１１により設定された記録速度とに基づいてサーボ制御部２８及びスピンドルドライバ３０を順次介してスピンドルモータ３１を制御させることにより、10倍速、8 倍速又は4 倍速の記録速度のうちホストコンピュータ１１により予め指定された何れかの記録速度で光ディスク１２を回転駆動させる。これによりＣＰＵ３５は、記録データＤ２を光ディスク１２に正しく記録する。
【００２４】
これに対して再生モード時、ＣＰＵ３５は、サーボ制御部２８を制御することにより、上述の記録モード時と同様にして、10倍速、8 倍速又は4 倍速の再生速度のうちホストコンピュータ１１により予め指定された何れかの再生速度で光ディスク１２を回転駆動させると共に、ビームスポットを光ディスク１２のデータトラックに沿って移動させ、かつトラッキング制御及びフォーカス制御をさせる。
【００２５】
またＣＰＵ３５は、光ピックアップ２７内のレーザダイオードを駆動することにより光ビームＬ１を光ディスク１２に向けて発射させる。この結果この光ビームＬ１が光ディスク１２の記録面において反射し、その反射光Ｌ２に基づいて得られるＲＦ信号で構成される読み出しデータＤ３が、光ピックアップ２７からＲＦアンプ２６を介してデコーダ部３６に送出される。
【００２６】
デコーダ部３６は、ＰＬＬ（Phase Locked Loop ）回路３７、同期データ検出部３８、ＥＦＭ復調部３９、ＣＩＲＣデコード部４０及びレイヤードＥＣＣ復調部４１から構成されており、ＰＬＬ回路３７において供給された読み出しデータＤ３からクロックＣＬＫを抽出し、このクロックＣＬＫ及び読み出しデータＤ３を同期データ検出部３８に送出する。
【００２７】
同期データ検出部３８は、供給されたクロックＣＬＫに基づいて読み出しデータＤ３から同期データＤsyncを順次検出すると共に、この検出結果に基づいて、読み出しデータＤ３を所定単位で順次ＥＦＭ復調部３９に送出する。
【００２８】
そしてこの読み出しデータＤ３は、この後ＥＦＭ復調部３９においてＥＦＭ復調処理され、ＣＩＲＣデコード部４０においてＣＩＲＣ復号化処理され、さらにレイヤードＥＣＣ復調部４１において誤り訂正処理が施されることにより記録前のフォーマットのデータＤ４に変換され、この後インターフェイス回路２０を介してホストコンピュータ１１に送出される。
【００２９】
このようにしてこの光ディスク装置１０は、ホストコンピュータ１１から供給されたデータＤ１を光ディスク１２に記録したり、この光ディスク装置１２に記録されているデータを再生してホストコンピュータ１１に送出したりすることができるようになされている。
【００３０】
（２）光ディスク装置１０のパワーキャリブレーション
次にこの光ディスク装置１０におけるパワーキャリブレーションについて説明する。
【００３１】
この光ディスク装置１０の場合、ホストコンピュータ１１から与えられるデータＤ１を光ディスク１２に記録する際し、従来の光ディスク装置と同様にパワーキャリブレーションをするが、この際ホストコンピュータ１１により指定可能な10倍速、８倍速及び４倍速の記録速度に応じたパワーキャリブレーションをそれぞれすることにより、各記録速度に最適な光量パワーを予め検出しておくようになされている。
【００３２】
この場合ＣＰＵ３５は、上述のように、ＡＴＩＰデコーダ部２９から供給されたアドレス情報信号Ｓ３及びシンク割込信号Ｓ４に基づいて光ディスク１２におけるそのときの現在位置を順次認識する共に、この認識結果に基づいてスピンドルモータ３０、スレッドモータ３３及び２軸アクチュエータを制御することにより、光ディスク１２における光ビームのビームスポットがパワーキャリブレーションエリア内に入るように光ピックアップ２７を光ディスク１２の径方向に移動させる。
【００３３】
そしてＣＰＵ３５は、  サーボ制御部２８及びスピンドルドライバ３０を順次介してスピンドルモータ３１を制御することにより、光ディスク１２を10倍速の記録速度に応じた回転速度で回転させる。
【００３４】
ここでＣＰＵ３５は、1500フレームから構成されるパワーキャリブレーションエリアの内周側のテストエリア内の未使用の５フレームを選択し、ＲＦアンプ２６及び光ピックアップ２７を順次介して光ビームＬ３のパワーを図４に示すように変調しながら試書きデータを順次試書きし、パワーキャリブレーションエリアの外周側のカウントエリア内に当該試書きの累積頻度を記入する。
【００３５】
さらにＣＰＵ３５は、上述の10倍速の記録速度において試書きをした後に、同様にして、8 倍速の記録速度において試書きをし、次いで4 倍速の記録速度において試書きをする。
【００３６】
ここでＣＰＵ３５は、4 倍速の記録速度において試書きをした後も、サーボ制御部２８及びスピンドルドライバ３０を順次介してスピンドルモータ３１の記録速度を依然として4 倍速に維持させる。
【００３７】
このとき光ピックアップ２７は、4 倍速の記録速度で回転される光ディスク１２からの反射光Ｌ４に基づいて、10倍速、8 倍速及び4 倍速の記録速度におけるアシンメトリを順次算出し、これら算出結果をＲＦアンプ２６経由でアシンメトリ信号Ｓ７としてＣＰＵ３５に順次送出する。
【００３８】
そしてＣＰＵ３５は、順次供給された10倍速、8 倍速及び4 倍速の記録速度におけるアシンメトリ信号Ｓ７に基づいて、記録速度毎に、パワーキャリブレーションエリア内に照射された各光ビームＬ３のうちどのパワーが最適であるか否かを判断する。
【００３９】
ここでＣＰＵ３５は、最適とされるパワーが所定の基準範囲内の値であるときは、その記録速度におけるパワーキャリブレーションが成功したと判断し、当該記録速度における最適パワーを記憶するのに対して、最適とされるパワーが所定の基準範囲外の値であるときは、その記録速度におけるパワーキャリブレーションが失敗したと判断し、当該記録速度において再度パワーキャリブレーションをする。
【００４０】
例えば４倍速の記録速度におけるパワーキャリブレーションが成功し、８倍速及び１０倍速の記録速度におけるパワーキャリブレーションが失敗した場合において、ＣＰＵ３５は、４倍速の記録速度における最適パワーを記憶すると共に、再度10倍速の記録速度になるまで、上述と同様に、スピンドルモータ３１の回転数を上昇させた後に、試書きデータの試書きをする。
【００４１】
さらにＣＰＵ３５は、10倍速の記録速度において試書きをした後に、同様にして８倍速の記録速度において試書きをする。
【００４２】
ここでＣＰＵ３５は、８倍速の記録速度において試書きをした後も、サーボ制御部２８に及びスピンドルドライバ３０を順次介してスピンドルモータ３１の記録速度を依然として８倍速に維持させる。
【００４３】
そしてＣＰＵ３５は、再び順次供給された８倍速及び１０倍速の記録速度におけるアシンメトリ信号Ｓ７に基づいて、記録速度毎に、パワーキャリブレーションが成功したか否かを判断し、全ての記録速度におけるパワーキャリブレーションが成功するまで以上の動作を繰り返す。
【００４４】
このようにしてこの光ディスク装置１０においては、ホストコンピュータ１１から与えられるデータＤ１を光ディスク１２に記録する前に、このホストコンピュータ１１により指定可能な各記録速度でパワーキャリブレーションをすることで、各記録速度に対応した最適なパワーを予め検出するようになされている。
【００４５】
この結果この光ディスク装置１０では、記録データＤ１の記録中においてホストコンピュータ１１により指定された記録速度が変更されたときに、光ビームのパワーをこの指定された記録速度に対応した最適なパワーに即座に設定できる。
【００４６】
（３）記録モード時におけるＣＰＵ３５の処理
次にパワーキャリブレーション時におけるＣＰＵ３５の一連の処理手順について説明する。この光ディスク装置１０において、ＣＰＵ３５は、光ディスク１２が図示しない光ディスクドライブに挿入されると、図５及び図６にそれぞれ示すパワーキャリブレーション処理手順ＲＴ１及びＲＴ２に従ってパワーキャリブレーションをする。
【００４７】
すなわちＣＰＵ３５は、光ディスク１２が光ディスクドライブに挿入されると、このパワーキャリブレーション処理手順をＳＰ１において開始する。
【００４８】
続いてＣＰＵ３５は、ステップＳＰ２においてサーボ制御部２８及びスピンドルドライバ３０を順次介してスピンドルモータの回転制御をさせると共に、サーボ制御部２８並びにスレッドドライバ３０及び２軸アクチュエータドライバ３４を順次介して光ピックアップ２７内のレーザダイオードから照射される光ビームＬ１のビームスポットを図２に示すリードインエリアに移動させる。
【００４９】
さらにＣＰＵ３５は、リードインエリアからの反射光Ｌ５に基づく信号Ｓ８をＲＦアンプ２６から供給されると、この信号Ｓ８に基づいて光ディスク１２の種類（CD−R かCD−RWか、及び直径8[cm] か12[cm]か等）を判別する。
【００５０】
次いでＣＰＵ３５は、ステップＳＰ３に進んでホストコンピュータ１１から何らかの命令が与えられるまで待機し、ホストコンピュータ１１から命令が与えられた場合ステップＳＰ４に進んで、この命令が記録命令か否かを判断する。
【００５１】
ここでＣＰＵ３５は、ステップＳＰ４において否定結果を得た場合は、その命令を実行しステップＳＰ３に戻り、再びホストコンピュータ１１から何らかの命令が与えられるまで待機し、これに対してステップＳＰ４において肯定結果を得た場合は、ステップＳ６に進んでパワーキャリブレーションが終了しているか否かを判断する。
【００５２】
ここでＣＰＵ３５は、ステップＳＰ６において否定結果を得た場合は、ステップＳ７に進んでパワーキャリブレーションを開始し、光ビームＬ３のビームスポットの位置がパワーキャリブレーションエリア内に入るように光ピックアップ２７を移動させる。
【００５３】
次いでＣＰＵ３５は、ステップＳＰ８に進んで、当該ＣＰＵ３５内の記録から、10倍速の記録速度におけるパワーキャリブレーションが終了したか否かを判別する。
【００５４】
ここでＣＰＵ３５は、ステップＳＰ８において否定結果を得た場合は、ステップＳＰ９に進んで、記録速度が10倍速になるようにサーボ制御部２８及びスピンドルドライバ３０を順次介してスピンドルモータ３１を回転制御させ、続くステップＳＰ９においてパワーキャリブレーションエリアのテストエリア内の未使用の５フレームを選択し、ＲＦアンプ２６及び光ピックアップ２７を順次介して光ビームＬ３のパワーを変調しながら試書きデータを順次試書きすると共に、パワーキャリブレーションエリアのカウントエリア内にパワーキャリブレーションの累積頻度を記入して、ステップＳＰ１０に進む。
【００５５】
これに対してＣＰＵ３５は、ステップＳＰ８において肯定結果を得た場合は、10倍速の記録速度における試書きをせずに、ステップＳＰ１０に進む。
【００５６】
次いでＣＰＵ３５は、続くステップＳＰ１０及び１１において、ステップＳＰ８及び９と同様にして、８倍速の記録速度における試書きに係る処理をする。
【００５７】
さらにＣＰＵ３５は、続くステップＳＰ１２及び１３においても、ステップＳＰ８及び９と同様にして、４倍速の記録速度における試書きに係る処理をする。
【００５８】
そしてＣＰＵ３５は、ステップＳ１４に進んで、サーボ制御部２８及びスピンドルドライバ３０を順次介してスピンドルモータ３１が直前の試書き時における記録速度で回転するように維持させると共に、光ピックアップ２７を介して、光ディスク１２からの反射光Ｌ４に基づいて、10倍速、８倍速及び４倍速の記録速度におけるアシンメトリを算出させながら、これらの算出結果をＲＦアンプ２６経由でアシンメトリ信号Ｓ７として当該ＣＰＵ３５に送出させる。
【００５９】
次いでＣＰＵ３５は、供給されたアシンメトリ信号Ｓ７に基づいて、10倍速、８倍速及び４倍速の記録速度におけるパワーキャリブレーションが成功したか否かを判断する。
【００６０】
ここでＣＰＵ３５は、各記録速度における最適とされるパワーが所定の基準範囲内の値であるときは、パワーキャリブレーションが成功したと判断し、各記録速度における最適パワーを記憶して、続くステップ１５においてパワーキャリブレーションを終了する。
【００６１】
これに対してＣＰＵ３５は、最適とされるパワーが所定の基準範囲外の値であるときは、その記録速度におけるパワーキャリブレーションが失敗したと判断し、ステップＳＰ８に戻り当該記録速度においてパワーキャリブレーションが成功するまでステップＳＰ８〜１４を繰り返す。
【００６２】
ＣＰＵ３５は、ステップＳＰ１５において全ての記録速度におけるパワーキャリブレーションを終えると、ステップＳＰ１６に進んで、ホストコンピュータ１１により予め指定された10倍速、８倍速又は４倍速の記録速度のうちの何れかの記録速度で、ホストコンピュータ１１から与えられるデータＤ１の光ディスク１２への記録処理をさせ、続くステップＳＰ１７においてホストコンピュータ１１から与えられた全てのデータＤ１の記録処理が終了したか否かを判断する。
【００６３】
ここでＣＰＵ３５は、ステップＳＰ１７において肯定結果を得た場合は、ステップＳＰ３に戻り、再びホストコンピュータ１１から何らかの命令が与えられるまで待機し、これに対してステップＳＰ１７において否定結果を得た場合は、上述のようにホストコンピュータ１１から与えられるデータＤ１の光ディスク１２への記録動作を継続させる。
【００６４】
（４）本実施の形態の動作及び効果
以上の構成において、この光ディスク装置１０では、ホストコンピュータ１１から与えられるデータＤ１を光ディスク１２に記録する際に、このホストコンピュータ１１により指定可能な各記録速度でパワーキャリブレーションをすることで、各記録速度に対応した最適なパワーを予め検出するようになされている。従ってこの光ディスク装置１０では、記録データＤ１の記録中において指定記録速度の変更が指示されたときに、光ビームのパワーをこの指定記録速度に対応した最適なパワーに即座に設定できる。
【００６５】
以上の構成によれば、ホストコンピュータ１１から与えられるデータＤ１を光ディスク１２に記録する前に、このホストコンピュータ１１により指定可能な各記録速度でパワーキャリブレーションをさせることで、各記録速度に対応した最適なパワーを予め検出させるようにしたことにより、記録データＤ１の記録中において指定記録速度の変更が指示されたときに、光ビームのパワーをこの指定記録速度に対応した最適なパワーに即座に設定でき、かくして記録データの記録時における作業効率を向上させ得る記録装置を実現できる。
【００６６】
（５）他の実施の形態
なお上述の実施の形態では、本発明をＣＤ−Ｒ及びＣＤ−ＲＷに対応する光ディスク装置に適用する場合について述べたが、本発明はこれに限らず、例えばＣＤ−Ｒ及びＣＤ−ＲＷ以外のＤＶＤ−Ｒ若しくはＤＶＤ−ＲＡＭ（ＤＶＤ：Digital Versatile Disc）等の書き込み可能な光ディスクその他種々の記録装置に適用することができる。
【００６７】
また上述の実施の形態では、ＣＬＶモードでデータの書き込みをするようになされた光ディスク装置１０に適用する場合について述べたが、本発明はこれに限らず、ＣＡＶ（Constant Angular Velocity ）モードでデータの書き込みをするようになされた光ディスク装置に適用することもできる。
【００６８】
さらに上述の実施の形態では、ステップＳＰ８〜１３において各記録速度における試書きをした後に、ステップＳＰ１４において各記録速度における最適化されたパワーの設定をすることにより、パワーキャリブレーションをしているが、本発明はこれに限らず、記録速度毎に試書き及び最適化されたパワーの設定を続けてすることにより、パワーキャリブレーションをしてもよい。
【００６９】
【発明の効果】
上述のように本発明によれば、記録媒体に記録データに応じて変調した光ビームを照射するようにして、予め定められた所定の記録倍速を保つように記録媒体を回転させながら記録データを記録する記録装置において、所定の記録倍速を他の所定の記録倍速へ切り替える記録倍速切替手段と、記録媒体の試書き領域に所定の記録倍速及び他の所定の記録倍速において試書き用データの試書きをすることにより、記録データを記録するための光ビームの最適なパワーを、予め所定の記録倍速及び他の所定の記録倍速に対して検出する検出手段と、所定の記録倍速を保つように記録媒体を回転させつつ、検出手段で予め検出された所定の記録倍速に対応した最適なパワーで、記録媒体に記録データを記録する記録手段とを具え、記録手段は、記録データの記録中に記録倍速切替手段により他の所定の記録倍速へ切り替えられたとき、検出手段が予め検出した所定の記録倍速に対する最適なパワーから、検出手段が予め検出した他の所定の記録倍速に対応した最適なパワーに切り替えて記録するようにしたことにより、各記録倍速に対応した光ビームの最適なパワーを予め検出するようになされているので、記録データの記録中において所定の記録倍速から他の所定の記録倍速へ段階的に切り替えても、他の所定の記録倍速に対応した光ビームの最適なパワーにスムーズに切り替えて記録することができ、かくして記録データの記録時における作業効率を向上させ得る記録装置を実現できる。
【図面の簡単な説明】
【図１】本実施の形態により光ディスク装置の回路構成を示すブロック図である。
【図２】光ディスクの構成を示す略線図である。
【図３】パワーキャリブレーションエリア内の試書きの説明に供する図である。
【図４】パワーの変調過程を示すグラフである。
【図５】パワーキャリブレーションに関する処理手順を示すフローチャートである。
【図６】パワーキャリブレーションに関する処理手順を示すフローチャートである。
【符号の説明】
１０……光ディスク装置  １１……ホストコンピュータ  １２……光ディスク、２１……エンコード部  ２２……バッファメモリ  ２７……光ピックアップ
３５…ＣＰＵ  ３６……デコーダ部。
【図１】
0004587013.tif 000002
【図２】
0004587013.tif 000003
【図３】
0004587013.tif 000004
【図４】
0004587013.tif 000005
【図５】
0004587013.tif 000006
【図６】
0004587013.tif 000007